(57)【要約】【課題】アプリケーション機能の操作をユーザに直感的に操作させること。【解決手段】携帯電話１００は、表示装置の一例であって、画像を表示する表示部１１０と、表示部１１０の表示領域上に設けられ、ユーザからの指示入力を受け付ける操作ボタン１２０と、表示部１１０の表示領域に表示画像を表示させるとともに、表示領域における操作ボタン１２０の周辺領域に、ユーザによる指示入力をガイドするためのガイド画像を表示させる表示制御部２１０とを備える。【選択図】図２
2010231655.tif 000002
【特許請求の範囲】
【請求項１】
画像を表示する表示部と、
前記表示部の表示領域上に設けられ、ユーザからの指示入力を受け付ける操作ボタンと、
前記表示部の表示領域に表示画像を表示させるとともに、前記表示領域における前記操作ボタンの周辺領域に、前記ユーザによる指示入力をガイドするためのガイド画像を表示させる表示制御部と
を備える表示装置。
【請求項２】
前記表示制御部は、前記操作ボタンの周辺領域に表示される前記表示画像に前記ガイド画像を合成して表示させる
請求項１に記載の表示装置。
【請求項３】
前記表示画像に関するアプリケーションを実行するアプリケーション実行部と、
前記アプリケーション実行部が実行しているアプリケーションに応じて前記ガイド画像を生成するガイド画像生成部と
をさらに備える請求項１または２に記載の表示装置。
【請求項４】
前記表示制御部は、前記ユーザによる指示入力が可能な方向を示す前記ガイド画像を前記周辺領域に表示させる
請求項１から３のいずれかに記載の表示装置。
【請求項５】
前記表示制御部は、前記操作ボタンへの指示入力の種類に応じて、前記ガイド画像を表示させる位置を変化させる
請求項１から４のいずれかに記載の表示装置。
【請求項６】
前記表示部は、複数の選択対象が散在している仮想空間の前記表示画像を表示し、
前記操作ボタンは、前記仮想空間における移動方向の指示入力を受け付け、
前記表示制御部は、前記複数の選択対象のそれぞれの前記仮想空間上の位置が示されている前記ガイド画像を表示させる
請求項１から５のいずれかに記載の表示装置。
【請求項７】
画像を表示する表示部と、前記表示部の表示領域上に設けられ、ユーザからの指示入力を受け付ける操作ボタンと、を備える表示装置による表示方法であって、
前記表示部の表示領域に表示画像を表示させるとともに、前記表示領域における前記操作ボタンの周辺領域に、前記ユーザによる指示入力をガイドするためのガイド画像を表示させる表示制御工程
を備える表示方法。
【請求項８】
画像を表示する表示部と、前記表示部の表示領域上に設けられ、ユーザからの指示入力を受け付ける操作ボタンと、を備える表示装置用のプログラムであって、コンピュータを、
前記表示部の表示領域に表示画像を表示させるとともに、前記表示領域における前記操作ボタンの周辺領域に、前記ユーザによる指示入力をガイドするためのガイド画像を表示させる表示制御部
として機能させるプログラム。
【発明の詳細な説明】
【技術分野】
【０００１】
本発明は、画像を表示する表示装置、表示方法、およびプログラムに関する。
【背景技術】
【０００２】
表示画面に表示させる画像データに応じて、当該画像データに対する入力ボタンを、任意のレイアウトで表示画面上に表示させることができる技術が開示されている（たとえば、特許文献１参照。）。
【特許文献１】特開２００４−１６３９９５号公報
【発明の開示】
【発明が解決しようとする課題】
【０００３】
しかしながら、従来技術では、複数の操作ボタンに複数のアプリケーション機能が割り当てられている場合、ユーザは、実行させるアプリケーション機能に対応する操作ボタンを、複数の操作ボタンの中から見つけ出し、その位置まで指を移動させ、操作する、といった一連の操作をおこなう必要となる。一方、一つの操作ボタンに複数の機能が割り当てられている場合、ユーザは、マニュアルなどを参照し、操作ボタンの各操作に割り当てられている機能を予め覚えておく必要がある。このように、従来技術では、アプリケーション機能の操作をユーザに直感的に操作させることができない。
【課題を解決するための手段】
【０００４】
上記課題を解決するために、本発明の第１の態様の表示装置は、画像を表示する表示部と、表示部の表示領域上に設けられ、ユーザからの指示入力を受け付ける操作ボタンと、表示部の表示領域に表示画像を表示させるとともに、表示領域における操作ボタンの周辺領域に、ユーザによる指示入力をガイドするためのガイド画像を表示させる表示制御部とを備える。
【０００５】
上記表示装置において、表示制御部は、操作ボタンの周辺領域に表示される表示画像にガイド画像を合成して表示させてもよい。
【０００６】
上記表示装置において、表示画像に関するアプリケーションを実行するアプリケーション実行部と、アプリケーション実行部が実行しているアプリケーションに応じてガイド画像を生成するガイド画像生成部とをさらに備えてもよい。
【０００７】
上記表示装置において、表示制御部は、ユーザによる指示入力が可能な方向を示すガイド画像を周辺領域に表示させてもよい。
【０００８】
上記表示装置において、表示制御部は、操作ボタンへの指示入力の種類に応じて、ガイド画像を表示させる位置を変化させてもよい。
【０００９】
上記表示装置において、表示部は、複数の選択対象が散在している仮想空間の表示画像を表示してもよく、操作ボタンは、仮想空間における移動方向の指示入力を受け付けてもよく、表示制御部は、複数の選択対象のそれぞれの仮想空間上の位置が示されているガイド画像を表示させてもよい。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、実施形態に係る携帯電話１００の外観の一例を示す。携帯電話１００は、表示装置の一例であって、上部筐体１０２および下部筐体１０４を備える。
【００１３】
上部筐体１０２および下部筐体１０４は、スライド構造を有している。たとえば、下部筐体１０４が露出されている状態から、下部筐体１０４を上方向にスライドさせることにより、下部筐体１０４を上部筐体１０２の背面に収納することができる。反対に、下部筐体１０４が収納されている状態から、下部筐体１０４を下方向にスライドさせることにより、下部筐体１０４を露出させることができる。
【００１４】
上部筐体１０２には、画像を表示する表示部１１０が設けられている。表示部１１０の表示領域上には、ユーザからの指示入力を受け付ける操作ボタン１２０が設けられている。下部筐体１０４には、複数の入力キーが設けられている。
【００１５】
表示部１１０の表示パネルには、操作ボタン１２０と略同形状、大きさを有する開口部が形成されている。操作ボタン１２０は、表示パネルを貫通するように、開口部内に設けられている。たとえば、操作ボタン１２０には、ポインティングスティックなどのポインティングデバイスが用いられる。操作ボタン１２０は、各操作方向への指示入力に用いられる。操作ボタン１２０は、十字キー、トラックボール、タッチパッドなど、ポインティングスティック以外のポインティングデバイスであってもよい。
【００１６】
操作ボタン１２０は、圧力センサーを有してもよく、当該圧力センサーにより、操作ボタン１２０への指示入力の強度をさらに検出してもよい。この場合、携帯電話１００は、検出した強度に応じて、表示部１１０に表示されているアプリケーションの処理量を変化させてもよい。たとえば、操作ボタン１２０によって何らかの移動を伴うアプリケーションに対する指示入力がおこなわれた場合、携帯電話１００は、操作ボタン１２０が検出した指示入力の強度に応じて、上記アプリケーションにおける上記移動の速度または量を変化させてもよい。
【００１７】
なお、操作ボタン１２０は、表示パネル上に設けられていてもよい。この場合、操作ボタン１２０は、透過性を有することが好ましい。これにより、表示パネルに開口部を形成する必要がなく、携帯電話１００は、表示部１１０の操作ボタン１２０下の表示領域に表示されている画像を、ユーザに視認させることができる。すなわち、携帯電話１００は、表示パネルの全領域にわたって表示されているシームレスな画像を、ユーザに視認させることができる。
【００１８】
表示部１１０の表示領域には、メニュー画面として、仮想空間の表示画像である表示画像１１２が表示されている。携帯電話１００は、ユーザによる操作ボタン１２０の操作に応じて、ユーザが仮想空間内を自由に移動しているかのように、表示画像１１２を変化させながら、表示部１１０に表示させることができる。表示画像１１２内には、複数の選択対象に対応する複数のアイコンが散在している。選択対象としては、アプリケーション、ファイル、コンテンツ、アプリケーションデータなどが挙げられる。
【００１９】
たとえば、表示画像１１２内には、アドレス帳のアプリケーションのアイコンであるアイコン３１０と、データフォルダをブラウズするアプリケーションのアイコンであるアイコン３２０とが存在している。携帯電話１００は、表示部１１０に表示させるアイコンの大きさを変化させることにより、仮想空間内におけるアイコンへの遠近度を表現している。たとえば、図１に示す例では、アイコン３１０のほうが、アイコン３２０よりも大きい。これにより、アイコン３１０のほうがアイコン３２０よりも近くにあることを表現している。
【００２０】
ユーザは、操作ボタン１２０を操作して、仮想空間内を任意のアイコンに向かって仮想的に移動することにより、任意のアイコンの近傍の仮想空間の表示画像１１２を表示部１１０に表示させることができる。そして、ユーザは、任意のアイコンの近傍の仮想空間の表示画像１１２が表示部１１０に表示されているときに、所定の操作ボタン１２０の操作をおこなうことにより、任意のアイコンに対応付けられているアプリケーションを起動することができる。
【００２１】
表示部１１０の表示領域における操作ボタン１２０の周辺領域には、ユーザによる指示入力をガイドするためのガイド画像１３０が表示されている。たとえば、図１に示す例では、操作ボタン１２０の周辺領域には、表示画像１１２に対しての、ユーザによる操作ボタン１２０の指示入力をガイドする、矩形のガイド画像１３０が表示されている。ガイド画像１３０は、仮想空間のマップとして機能する。ガイド画像１３０は、半透明であってよく、表示画像１１２に合成されて表示されてもよい。
【００２２】
携帯電話１００は、表示領域に表示されているアプリケーションの情報量に応じて、ガイド画像１３０の大きさを変化させてもよい。たとえば、仮想空間内の移動を伴うアプリケーションが表示領域に表示されている場合、携帯電話１００は、仮想空間の広さに応じて、ガイド画像１３０の大きさを変化させてもよい。他の例では、アドレス帳のアプリケーションが表示領域に表示されている場合、アドレス帳に登録されているアドレスの件数に応じて、ガイド画像１３０の大きさを変化させてもよい。
【００２３】
携帯電話１００は、表示領域に表示されているアプリケーションの視点の変化に応じて、ガイド画像１３０の形状を変化させてもよい。たとえば、地図アプリケーションが表示領域に表示されている場合、携帯電話１００は、地図アプリケーションに視点の変化に応じて、ガイド画像１３０の形状を変化させてもよい。
【００２４】
ガイド画像１３０には、仮想空間内におけるアイコン３１０の位置を示すアイコン３１０´と、仮想空間内におけるアイコン３２０の位置を示すアイコン３１０´とが示されている。たとえば、ユーザは、ガイド画像１３０にしたがって、アイコン３１０´の方向に操作ボタン１２０を操作することにより、仮想空間内をアイコン３１０に向かって仮想的に移動することができる。仮想空間内におけるこれらアイコンの位置は、携帯電話１００により予めランダムに決定されてもよい。
【００２５】
操作ボタン１２０は、仮想空間内におけるユーザの現在位置を示す、ポインタとして機能する。携帯電話１００は、操作ボタン１２０の指示入力、すなわち仮想空間内におけるユーザの移動に応じて、ガイド画像１３０の表示位置を変化させる。たとえば、仮想空間内を右方向に移動する操作ボタン１２０の指示入力がおこなわれた場合、ガイド画像１３０の表示位置を左方向に移動させる。これにより、携帯電話１００は、ガイド画像１３０に対する操作ボタン１２０の位置を、相対的に右方向へ移動させる。
【００２６】
図２は、携帯電話１００の機能構成の一例を示す。携帯電話１００は、アプリケーション制御部２０２、アプリケーション実行部２０４、表示画像生成部２０６、ガイド画像生成部２０８、および表示制御部２１０をさらに備える。
【００２７】
アプリケーション実行部２０４は、アプリケーションを実行する。具体的には、アプリケーション実行部２０４は、表示部１１０の表示領域に表示される表示画像に関するアプリケーションを実行する。
【００２８】
アプリケーション制御部２０２は、アプリケーション実行部２０４によるアプリケーションの実行を制御する。たとえば、アプリケーション制御部２０２は、携帯電話１００にインストールされている複数のアプリケーションの中から、実行するアプリケーションを決定する。そして、アプリケーション制御部２０２は、決定されたアプリケーションをアプリケーション実行部２０４に実行させる。たとえば、アプリケーション制御部２０２は、表示部１１０に表示されている表示画面の内容、およびユーザによる操作ボタン１２０の指示入力に応じて、実行するアプリケーションを決定する。
【００２９】
表示画像生成部２０６は、アプリケーション実行部２０４が実行しているアプリケーションに応じて表示画像を生成する。ガイド画像生成部２０８は、アプリケーション実行部２０４が実行しているアプリケーションに応じて、ユーザによる指示入力をガイドするためのガイド画像を生成する。たとえば、ガイド画像生成部２０８は、アプリケーション実行部２０４が実行しているアプリケーションに応じて、ユーザによる指示入力が可能な方向を示すガイド画像を生成する。
【００３０】
表示制御部２１０は、表示部１１０の表示領域に、表示画像生成部２０６によって生成された表示画像を表示させるとともに、表示領域における操作ボタン１２０の周辺領域に、ガイド画像生成部２０８によって生成されたガイド画像を表示させる。
【００３１】
表示制御部２１０は、操作ボタン１２０の周辺領域に表示される表示画像にガイド画像を合成して表示させてもよい。表示制御部２１０は、ユーザによる指示入力が可能な方向を示すガイド画像を操作ボタン１２０の周辺領域に表示させてもよい。表示制御部２１０は、操作ボタン１２０への指示入力の種類に応じて、ガイド画像を表示させる位置を変化させてもよい。
【００３２】
表示部１１０は、複数の選択対象が散在している仮想空間の表示画像を表示してもよい。たとえば、表示部１１０は、複数の選択対象のそれぞれに対応する複数のアイコンが散在している仮想空間の表示画像を表示してもよい。
【００３３】
これらの場合、操作ボタン１２０は、上記仮想空間における移動方向の指示入力を受け付けてもよい。そして、表示制御部２１０は、複数の選択対象のそれぞれの仮想空間上の位置が示されているガイド画像を表示させてもよい。たとえば、表示制御部２１０は、複数の選択対象のそれぞれの仮想空間上の位置が星のイメージ画像で示されているガイド画像を表示させてもよい。なお、表示部１１０は、複数の選択対象が整列されている仮想空間の表示画像を表示してもよい。
【００３４】
表示部１１０は、アプリケーション実行部２０４が実行しているアプリケーションに応じた選択対象のリストの表示画像を表示してもよい。たとえば、アプリケーション実行部２０４がアドレス帳のアプリケーションを実行している場合、アドレスのリストの表示画像を表示する。他の例では、アプリケーション実行部２０４がデータフォルダをブラウズするアプリケーションを実行している場合、データフォルダに格納されているデータのリストの表示画像を表示する。
【００３５】
これらの場合、操作ボタン１２０は、リストにおける移動方向の指示入力を受け付けてもよい。たとえば、操作ボタン１２０は、リストにおけるフォーカスの移動方向の指示入力を受け付けてもよい。表示制御部２１０は、フォーカスのリスト上の位置が示されているガイド画像を表示させてもよい。アプリケーション制御部２０２は、フォーカスされたアプリケーションのプレビューを表示部１１０に表示させてもよい。
【００３６】
図３および図４は、仮想空間の表示画像の表示例を示す。図３および図４において、表示部１１０には、仮想空間の表示画像である表示画像１１２が表示されている。
【００３７】
図３に示す表示部１１０には、ユーザが操作ボタン１２０を操作したことに応じて、アイコン３１０の近傍の仮想空間の表示画像１１２が表示されている。アイコン３１０には、アドレス帳のアプリケーションをユーザにイメージさせることができるように、ガラス球の中にアドレス帳が格納されているイメージ画像が用いられている。
【００３８】
図４に示す表示部１１０には、ユーザが操作ボタン１２０を操作したことに応じて、アイコン３２０の近傍の仮想空間の表示画像１１２が表示されている。アイコン３２０には、データフォルダをブラウズするアプリケーションをユーザにイメージさせることができるように、ガラス球の中にデータフォルダが格納されているイメージ画像が用いられている。
【００３９】
たとえば、図３に示すように、アイコン３１０の近傍の仮想空間の表示画像１１２が表示されているときに、操作ボタン１２０によるアイコン３１０に突入する操作をユーザがおこなった場合、携帯電話１００は、アイコン３１０に対応付けられている、アドレス帳のアプリケーションを起動する。一方、図４に示すように、アイコン３２０の近傍の仮想空間の表示画像１１２が表示部１１０に表示されているときに、操作ボタン１２０によるアイコン３２０に突入する操作をユーザがおこなった場合、携帯電話１００は、アイコン３２０に対応付けられている、データフォルダをブラウズするアプリケーションを起動する。
【００４０】
表示制御部２１０は、既に起動されているアプリケーションについては、当該アプリケーションの現在の状態を示すアイコンを、仮想空間の表示画像１１２内に表示させてもよい。たとえば、表示制御部２１０は、既に起動されているアプリケーションについては、当該アプリケーションのスナップショットを取得し、取得したスナップショットがガラス球の中に格納されているイメージ画像を生成し、生成したイメージ画像をアイコンとして、仮想空間の表示画像１１２内に表示させてもよい。
【００４１】
表示制御部２１０は、新規のアプリケーションを起動するためのアイコンを、仮想空間の表示画像１１２内に表示させてもよい。たとえば、表示制御部は、新規のアプリケーションを起動するための、空のガラス球のイメージ画像を用いたアイコンを、仮想空間の表示画像１１２内に表示させてもよい。
【００４２】
図５は、アプリケーションの表示画像の表示例を示す。図５において、表示部１１０の表示領域には、アドレス帳のアプリケーションの表示画像である表示画像５００が表示されている。
【００４３】
表示画像５００においては、検索条件の一例としてインデックスの「あ」行が選択されている。これにより、表示画像５００には、インデックスの「あ」行に登録されているアドレスが一覧表示されている。さらに、表示画像５００においては、アドレスの一覧の中からアドレスを選択するためのフォーカス５１０が表示されている。
【００４４】
表示部１１０の表示領域における、操作ボタン１２０の周辺領域には、ガイド画像１３０が表示されている。ガイド画像１３０は、アドレス帳に登録されているアドレスの件数に応じた大きさを有している。また、ガイド画像１３０は、操作ボタン１２０の操作可能な方向に応じた位置および形状を有する。たとえば、図５に示すガイド画像１３０は、操作ボタン１２０の周辺領域の上下方向および左右方向にわたって表示されている。これにより、ガイド画像１３０は、操作ボタン１２０が上下方向および左右方向に操作できることを示している。
【００４５】
たとえば、ユーザは、操作ボタン１２０を上下方向に操作することにより、フォーカス５１０を移動させて、任意のアドレスを選択することができる。また、ユーザは、操作ボタン１２０を左右方向に操作することにより、インデックスを切り替えることができる。
【００４６】
また、ユーザは、操作ボタン１２０を押下することにより、フォーカス５１０によって選択されているアドレスの詳細を表示する詳細画面を、表示部１１０の表示領域に表示させることができる。詳細画面においては、操作ボタン１２０の各操作方向に対して割り当てられている機能のガイドを示すガイド画像が、操作ボタン１２０の周辺領域に表示される。たとえば、ユーザは、表示部１１０の表示領域に詳細画面が表示されているときに、操作ボタン１２０をいずれかの方向に操作することにより、選択されたアドレスに対する、音声発信、メール送信、ＴＶコールなどの機能を実行することができる。
【００４７】
図６は、アプリケーションの表示画像の他の表示例を示す。図６において、表示部１１０の表示領域には、データフォルダをブラウズするアプリケーションの表示画像である表示画像６００が表示されている。
【００４８】
表示画像６００においては、複数のデータに対応する複数のアイコンが、マトリクス状に並べて表示されている。また、表示画像６００においては、複数のアイコンの中からアイコンを選択するためのフォーカス６１０が表示されている。
【００４９】
また、表示部１１０の表示領域における、操作ボタン１２０の周辺領域には、ガイド画像１３０が表示されている。ガイド画像１３０は、データフォルダに格納されているデータの件数に応じた大きさを有している。また、ガイド画像１３０は、操作ボタン１２０の操作可能な方向に応じた位置および形状を有する。たとえば、図６に示すガイド画像１３０は、操作ボタン１２０の周辺領域の上下方向および左右方向にわたって表示されている。これにより、ガイド画像１３０は、操作ボタン１２０が上下方向および左右方向に操作できることを示している。
【００５０】
たとえば、ユーザは、操作ボタン１２０を上下方向および左右方向に操作することにより、フォーカス６１０を移動させて、任意のアイコンを選択することができる。携帯電話１００は、フォーカスされたアイコンに対応付けられているデータのプレビューをフォーカス６１０内に表示する。
【００５１】
また、ユーザは、操作ボタン１２０を押下することにより、フォーカス６１０によって選択されているアイコンに対応付けられているデータに対応付けられているアプリケーションを実行させて、選択されたアイコンに対応付けられているデータを表示部１１０の表示領域に表示させることができる。
【００５２】
なお、携帯電話１００は、下部筐体１０４に設けられている複数の入力キーをユーザに操作させ、キーワードなどの検索条件を入力させることにより、データフォルダに格納されているデータの中から検索条件に該当するデータを抽出し、抽出したデータを表示部１１０に表示することができる。
【００５３】
以上説明したように、本実施形態の携帯電話１００によれば、操作ボタン１２０だけで一連のアプリケーションの操作をユーザにおこなわせることができる構成としたので、ユーザは、操作ボタン１２０から指の位置を移動させることなく、直感的に一連のアプリケーションの操作をおこなうことができる。
【００５４】
また、本実施形態の携帯電話１００によれば、表示部１１０の表示領域上に操作ボタン１２０が設けられているので、ユーザは、表示領域に表示されている画像から視線をはずすことなく、操作ボタン１２０によるアプリケーションの操作をおこなうことができる。
【００５５】
また、本実施形態の携帯電話１００によれば、表示領域における操作ボタン１２０の周辺領域に、ガイド画像を表示するので、ユーザは、表示領域に表示されている画像から視線をはずすことなく、ガイド画像を参照することができるうえ、ガイド画像のガイドにしたがって、直感的にアプリケーションの操作をおこなうことができる。
【００５６】
図７は、携帯電話１００のハードウェア構成の一例を示す。携帯電話１００は、ホスト・コントローラ１５８２により相互に接続されるＣＰＵ１５０５、ＲＡＭ１５２０、グラフィック・コントローラ１５７５、および表示部１１０を備える。また、携帯電話１００は、Ｉ／Ｏ（入出力）コントローラ１５８４によりホスト・コントローラ１５８２に接続される通信Ｉ／Ｆ１６００、ＲＯＭ１５１０、およびメモリカードドライブ１５５０を備える。
【００５７】
ＣＰＵ１５０５は、ＲＯＭ１５１０およびＲＡＭ１５２０に格納されたプログラムに基づいて動作して、各部を制御する。グラフィック・コントローラ１５７５は、ＲＡＭ１５２０等から取得した画像データを、表示部１１０上に表示させる。通信Ｉ／Ｆ１６００は、ネットワークを介して外部と通信する。ＲＯＭ１５１０は、ＣＰＵ１５０５が使用するプログラムおよびデータを格納する。メモリカードドライブ１５５０は、メモリカード１５９０に対して、プログラムまたはデータの読み取りまたは書き込みをおこなう。メモリカードドライブ１５５０は、読み取ったプログラムまたはデータを、ＲＡＭ１５２０およびＲＯＭ１５１０に送信する。
【００５８】
ＣＰＵ１５０５は、ＲＯＭ１５１０およびＲＡＭ１５２０に格納されているプログラムを実行することにより、携帯電話１００を、アプリケーション制御部２０２、アプリケーション実行部２０４、表示画像生成部２０６、ガイド画像生成部２０８、および表示制御部２１０として機能させる。ＲＯＭ１５１０およびＲＡＭ１５２０に格納されているプログラムは、メモリカード１５９０等の記録媒体に格納されて提供されてもよく、外部の情報処理装置からネットワークを介して提供されてもよい。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６０】
【図１】実施形態に係る携帯電話１００の外観の一例を示す。
【図２】携帯電話１００の機能構成の一例を示す。
【図３】仮想空間の表示画像の表示例を示す。
【図４】仮想空間の表示画像の表示例を示す。
【図５】アプリケーションの表示画像の表示例を示す。
【図６】アプリケーションの表示画像の他の表示例を示す。
【図７】携帯電話１００のハードウェア構成の一例を示す。
【符号の説明】
【００６１】
１００  携帯電話
１０２  上部筐体
１０４  下部筐体
１１０  表示部
１１２  表示画像
１２０  操作ボタン
１３０  ガイド画像
２０２  アプリケーション制御部
２０４  アプリケーション実行部
２０６  表示画像生成部
２０８  ガイド画像生成部
２１０  表示制御部
３１０  アイコン
３２０  アイコン
５００  表示画像
５１０  フォーカス
６００  表示画像
６１０  フォーカス
１５０５  ＣＰＵ
１５１０  ＲＯＭ
１５２０  ＲＡＭ
１５５０  メモリカードドライブ
１５７５  グラフィック・コントローラ
１５８２  ホスト・コントローラ
１５８４  Ｉ／Ｏコントローラ
１５９０  メモリカード
１６００  通信Ｉ／Ｆ
【図２】
2010231655.tif 000003
【図７】
2010231655.tif 000004
【図１】
2010231655.tif 000005
【図３】
2010231655.tif 000006
【図４】
2010231655.tif 000007
【図５】
2010231655.tif 000008
【図６】
2010231655.tif 000009